(57)【要約】  本発明は、転がり軸受用保持器（１，２，３，４）であって、ころ（５）、第１の側縁（６）、第２の側縁（６）、橋絡片（７）、及び周方向に互いに隣接するころ（５）用ポケット（８，９，１０，１１，１２，１３）を有するものに関し、橋絡片（７）と側縁（６）が互いに一体に形成され、少なくとも側面（１６）がならいフライス削りされた完成輪郭を持ち、完成輪郭が、少なくとも１つの総形フライス（２１）の凸な外側切削輪郭の凹な写しである。
2008501097.tif 000002
【特許請求の範囲】
【請求項１】
転がり軸受用保持器（１，２，３，４）であって、ころ（５）、第１の側縁（６）、第２の側縁（６）、橋絡片（７）、及び周方向に互いに隣接するころ（５）用ポケット（８，９，１０，１１，１２，１３）を有し、橋絡片（７）と側縁（６）が互いに一体に形成され、
第１の側縁（６）と第２の側縁（６）との間の橋絡片（７）が、保持器（１，２，３，４）の回転軸線（１ａ）に沿って向けられ、
ポケット（８，９，１０，１１，１２，１３）の各々が、橋絡片（７）にあって互いに対向する側面（１６）により周方向に区画され、
ポケット（８，９，１０，１１，１２，１３）の各々が、回転軸線（１ａ）に沿って互いに対向する側縁（６）の内側面（２０）により区画され、
ポケット（８，９，１０，１１，１２，１３）の１つにおいて互いに対向する側面（１６）の接線方向における最大自由側面間隔が、ポケット（８，９，１０，１１，１２，１３）内にあるそれぞれのころ（５）の最大直径より大きく、
橋絡片（７）にころ（５）用の取付け片（１４，１５）が形成され、
それぞれのポケット（８，９，１０，１１，１２，１３）において対向する２つの取付け片（１４，１５）の接線方向最大自由間隔が、ポケット（８，９，１０，１１，１２，１３）内にあるそれぞれのころ（５）の最大公称直径より小さく、
少なくとも側面（１６）がならいフライス削りされた完成輪郭を持ち、完成輪郭が、少なくとも１つの総形フライス（２１）の凸な外側切削輪郭の凹な写しである
ものにおいて、
側面（１６）が、ポケット（８，９，１０，１１，１２，１３）内にある少なくとも１つのころ（５）のためポケット（８，９，１０，１１，１２，１３）へ向けられる少なくとも１つの平らな当たり面（２２）を持ち、
平らな当たり面（２２）が半径方向に取付け片（１４，１５）の少なくとも１つに続き、
取付け片（１４，１５）が当たり面（２２）から少なくとも接線方向に突出していることを特徴とする、保持器。
【請求項２】
当たり面（２２）が、回転軸線（１ａ）の周りに回転対称に延びかつ保持器のころ（５）の中心軸線に交差するピッチ円（２６）により貫通されていることを特徴とする、請求項１に記載の保持器。
【請求項３】
それぞれのころ（５）と橋絡片（７）との間でポケット（８，９，１０，１１，１２，１３）にあるころのピッチ円（２６）上にある自由な接線方向運動遊隙の最大寸法が、ピッチ円（２６）の半径方向上及び半径方向下に続くころ（５）と橋絡片（７）との間の接線方向における任意の各自由間隔の最小寸法より小さいことを特徴とする、請求項２に記載の保持器。
【請求項４】
取付け片（１４，１５）がポケット（８，９，１０，１１，１２，１３）の方へ向く平らな斜面（２８，２９）を持ち、斜面（２８，２９）が当たり面（２２）に対し鈍角をなして傾斜し、斜面（２８，２９）ところ（５）との接線方向における任意の各自由間隔が、運動遊隙より大きいことを特徴とする、請求項３に記載の保持器。
【請求項５】
取付け片（１４，１５）が斜面（２８）のポケット側で当たり面（２２）へ移行していることを特徴とする、請求項４に記載の保持器。
【請求項６】
取付け片（１４，１５）が斜面（２８）の湾曲面（３０，３４）のポケット側で当たり面（２２）へ移行し、湾曲面（３０）がポケット（８，９，１０，１１，１２，１３）に沿って回転軸線（１ａ）と同じ向きに延び、かつポケット（８，９，１０，１１，１２，１３）から凸に湾曲し、湾曲面（３０）ところ（５）との間の接線方向の任意の各自由間隔が運動遊隙より大きいことを特徴とする、請求項３に記載の保持器。
【請求項７】
回転軸線（１ａ）に沿う保持器（１，２，３，４）の縦断面における湾曲面（３０）の湾曲が１つの半径により描かれていることを特徴とする、請求項６に記載の保持器。
【請求項８】
半径が、それぞれのポケット（８，９，１０，１１，１２，１３）にあるころ（５）の公称直径の半分より大きいことを特徴とする、請求項７に記載の保持器。
【請求項９】
当たり面（２２）が、回転軸線（１ａ）に沿って同じ向きに、１つのポケット隅（２３）から別のポケット隅（２３）へ延び、橋絡片（７）がポケット隅（２３）のそれぞれ１つの所で側縁（６）の１つへ移行していることを特徴とする、請求項１に記載の保持器。
【請求項１０】
当たり面（２２）がポケット隅（２３）の所で湾曲して延びる隅面（２３ａ）へ移行し、ポケット（８，９，１０，１１，１２，１３）が、ポケット隅（２３）の所で隅面（２３ａ）により、少なくとも所々で凸に橋絡片（７）へ膨出していることを特徴とする、請求項１に記載の保持器。
【請求項１１】
ポケット（８，９，１０，１１，１２，１３）内のそれぞれのころ（５）が、取付け片（１４，１５）により、ころ（５）の中心軸線の半径方向上で、部分的に半径方向に取り囲まれていることを特徴とする、請求項１に記載の保持器。
【請求項１２】
ポケット（８，９，１０，１１，１２，１３）内のそれぞれのころ（５）が、取付け片（１４，１５）により、ころ（５）の中心軸線の半径方向下で、部分的に半径方向に取り囲まれていることを特徴とする、請求項１に記載の保持器。
【請求項１３】
当たり面（２２）が半径方向に２つの取付け片（１４，１５）の間に設けられ、取付け片（１４，１５）が少なくとも接線方向に当たり面（２２）から突出していることを特徴とする、請求項１に記載の保持器。
【請求項１４】
ポケット内のころが、それぞれピッチ円の半径方向上及び半径方向下で、ポケット（８，９，１０，１１，１２，１３）の所で対向するそれぞれ１対の取付け片（１４，１５）により部分的に半径方向に取り囲まれていることを特徴とする、請求項１３に記載の保持器。
【請求項１５】
少なくとも若干の橋絡片（７）が、橋絡片（７）から半径方向に橋絡片（７）を越えて突出する少なくとも１つの取付け片（１４）を持っていることを特徴とする、先行する請求項の１つに記載の保持器。
【請求項１６】
少なくとも若干の橋絡片（７）が、橋絡片（７）から半径方向に橋絡片（７）を越えて突出する少なくとも１つの第１の取付け片（１４）を持っていることを特徴とする、請求項１の上位概念に記載の保持器。
【請求項１７】
第１の取付け片（１４）が、半径方向に第１の側縁（６）及び第２の側縁（６）から突出していることを特徴とする、請求項１６に記載の保持器。
【請求項１８】
少なくとも１つの側縁（６）と半径方向に側縁（６）に続くころ（５）用転動路（３８）の表面との間のできるだけ小さい環状間隙の大きさが、ころ（５）の公称直径の少なくとも０．６倍〜０．９倍に等しく、環状間隙が、側縁（６）の半径方向において第１の取付け片（１４）が突出する側に形成されていることを特徴とする、請求項１７に記載の保持器。
【請求項１９】
少なくとも１つの側縁（６）が半径方向に第１の取付け片（１４）と同じ向きに橋絡片（７）から最大に突出するのと同じ寸法だけ、第１の取付け片（１４）が橋絡片（７）から半径方向に最大に突出していることを特徴とする、請求項１６に記載の保持器。
【請求項２０】
少なくとも第１の取付け片（１４）が突出する保持器（１，２，３，４）の半径方向側で、橋絡片（７）を半径方向に区画する少なくとも１つの周面（３２）と、各側縁（６）を半径方向に区画するそれぞれ１つの周面（３１）とが、回転軸線（１ａ）から半径方向に同じ寸法だけ離れていることを特徴とする、請求項１６に記載の保持器。
【請求項２１】
第１の取付け片（１４）が側面（１６）のならいフライス削りされた輪郭の部分を持ち、この部分がポケット（８，９，１０，１１，１２，１３）内にあるそれぞれのころ（５）の方へ向けられていることを特徴とする、請求項１６に記載の保持器。
【請求項２２】
周方向に互いに隣接する２つのポケット（８，９，１０，１１，１２，１３）の第１の取付け片（１４）が、橋絡片（７）の所で共通なひれ（３６）により形成され、ひれ（３６）が互いに隣接するポケット（８，９，１０，１１，１２，１３）の間で回転軸線（１ａ）に対して直角に延び、かつ橋絡片（７）から半径方向に突出していることを特徴とする、請求項１６に記載の保持器。
【請求項２３】
ポケット（８，９，１０，１１，１２，１３）毎に各橋絡片（７）が、橋絡片の所で軸線方向に離れている少なくとも２つの第１の取付け片（１４）を持っていることを特徴とする、請求項１６に記載の保持器。
【請求項２４】
軸線方向に互いに離れている一方の第１の取付け片（１４）が、軸線方向に互いに離れている他方の第１の取付け片（１４）とちょうど同じ寸法だけ、回転軸線（１ａ）から離れていることを特徴とする、請求項２３に記載の保持器。
【請求項２５】
軸線方向に互いに離れている第１の取付け片（１４）の間の軸線方向間隔が、最も狭い個所において、ポケット（８，９，１０，１１，１２，１３）内のそれぞれのころ（５）の軸線方向長さの少なくとも１／５〜１／４に等しいことを特徴とする、請求項２３に記載の保持器。
【請求項２６】
１つの橋絡片（７）において軸線方向に互いに離れた第１の取付け片（１４）の各々と、軸線方向において隣接する第１の取付け片（１４）の間にあるポケット中心面との間の間隔が同じ大きさであり、ポケット中心面を回転軸線（１ａ）が直角に貫通していることを特徴とする、請求項２３に記載の保持器。
【請求項２７】
ポケット（８，９，１０，１１，１２，１３）の所でそれぞれ対向する２つの取付け片（１４，１５）の間の最大接線方向自由間隔が、最も狭い個所において、最も狭い個所におけるころ（５）の直径の最小寸法より少なくとも小さいことを特徴とする、請求項１６に記載の保持器。
【請求項２８】
ポケットの所でそれぞれ対向する取付け片（１４，１５）が、最も狭い個所におけるころにより、少なくとも部分的に変形可能であり、それにより最も狭い個所における変形した取付け片の間の接線方向間隔が、最も狭い個所におけるころ（５）の直径の最大寸法の大きさに少なくとも等しいことを特徴とする、請求項２７に記載の保持器。
【請求項２９】
最も狭い個所における接線方向間隔が、最も狭い個所におけるころ（５）の直径の最小寸法より、少なくとも１／１０００ｍｍだけ小さいことを特徴とする、請求２７に記載の保持器。
【請求項３０】
少なくとも１つの第１の取付け片（１４）を持つ各橋絡片（７）に、少なくとも１つの第２の取付け片（１５）も形成され、第１の取付け片（１４）と第２の取付け片（１５）が半径方向に互いに離れていることを特徴とする、請求項１６に記載の保持器。
【請求項３１】
第２の取付け片（１５）が、回転軸線（１ａ）の長手方向に見て、第１の取付け片（１４）より幅広いことを特徴とする、請求項３０に記載の保持器。
【請求項３２】
第２の取付け片（１５）が、それぞれの橋絡片（７）から接線方向にポケット（８，９，１０，１１，１２，１３）の中へ突出していることを特徴とする、請求項３０に記載の保持器。
【請求項３３】
ポケット（８，９，１０，１１，１２，１３）において対向する２つの第２の取付け片（１５）の間の接線方向間隔が、最も狭い個所において、ポケット（８，９，１０，１１，１２，１３）内のころ（５）の公称直径より小さいことを特徴とする、請求項３０に記載の保持器。
【請求項３４】
最も狭い個所における最小接線方向間隔が、ポケット（８，９，１０，１１，１２，１３）内のころ（５）の公称直径の０．９２倍〜０．９６倍に等しいことを特徴とする、請求項３３に記載の保持器。
【請求項３５】
内側面（２０）の各々が、平面により、かつ橋絡片（７）の方へポケット隅（２３）の湾曲した隅面（２３ａ）の少なくとも一部により描かれており、ポケット隅（２３）の所でポケット（８，９，１０，１１，１２，１３）が、隅面（２３ａ）により少なくとも軸線方向に凸にそれぞれの側縁（６）の中へ膨出していることを特徴とする、請求項１６に記載の保持器。
【請求項３６】
隅面（２３ａ）の湾曲がそれぞれ１つの半径により描かれていることを特徴とする、請求項３５に記載の保持器。
【請求項３７】
半径がポケット（８，９，１０，１１，１２，１３）内のそれぞれのころ（５）の公称直径の０．０５倍〜０．２倍に等しいことを特徴とする、請求項３６に記載の保持器。
【請求項３８】
第１の取付け片（１４）が、保持器（２）の半径方向外側で橋絡片（７）から半径方向に突出していることを特徴とする、請求項１６〜３７の１つに記載の保持器。
【請求項３９】
第１の取付け片（１４）が保持器（３，４）の半径方向内側で橋絡片（７）から半径方向に突出していることを特徴とする、請求項１６〜３７の１つに記載の保持器。
【発明の詳細な説明】
【技術分野】
【０００１】  本発明は、転がり軸受用保持器であって、ころ、第１の側縁、第２の側縁、橋絡片、及び周方向に互いに隣接するころ用ポケットを有し、橋絡片と側縁が互いに一体に形成され、第１の側縁と第２の側縁との間の橋絡片が、保持器の回転軸線に沿って向けられ、ポケットの各々が、橋絡片にあって互いに対向する側面により周方向に区画され、ポケットの各々が、回転軸線に沿って互いに対向する側縁の内側面により区画され、ポケットの１つにおいて互いに対向する側面の接線方向における最大自由間隔が、ポケット内にあるそれぞれのころの最大直径より大きく、橋絡片にころ用の取付け片が形成され、それぞれのポケットにおいて対向する２つの取付け片の接線方向最大自由間隔が、ポケット内にあるそれぞれのころの最大公称直径より小さく、少なくとも側面がならいフライス削りされた完成輪郭を持ち、完成輪郭が、少なくとも１つの総形フライスの凸な外側切削輪郭の凹な写しであるものに関する。
【背景技術】
【０００２】  このような保持器はドイツ連邦共和国特許出願公開第１００２１０８９号明細書に記載されている。保持器のポケットは、ポケット内においてそのつど加工される面の完成した凹な輪郭のための凸な輪郭を示す断面輪郭を持つ総形フライスで加工される。工具軸線の周りに回転する回転対称な総形フライスは、保持器素材の前もって準備された穴へまず半径方向に導入され、それから保持器の周方向つまり接線方向に動かされて、周方向に、橋絡片にあって後でポケットに面する側面をフライス削りし、軸線方向に、少なくとも環状に形成される側縁にある内側面及び隅湾曲部をフライス削りする。総形フライスの１つ、大抵は内側面用総形フライスにより、ポケットの隅も加工される。【０００３】  橋絡片にあってポケットを介して互いに向き合う側面の間の接線方向つまり周方向の自由間隔は、ポケット内のころの公称直径の許容正公差との和より大きい。従ってころは、ポケット内で、互いに対向する２つの側面の間の運動遊隙内で接線方向及び半径方向にも、一方の側面から他方の側面へ向かって動くことができる。ころは、保持器において、ポケットに面する側面において所定のように動く。ドイツ連邦共和国特許出願公開第１００２１０８９号明細書に記載されている保持器の構造の欠点は、橋絡片にある湾曲した保持器当たり面とそこに当たるころとの間に充分な潤滑剤が存在しないことである。その場合摩擦は比較的大きい。その結果摩擦による許容できない摩耗及び／又は高い温度が生じる。【０００４】  ポケットに形成される取付け片は、輸送及び組立における取扱いの際、ころを引き止める。ポケットを区画する橋絡片の各々に、少なくとも１つの取付け片が形成されている。ポケットの所で対向しかつ共同作用する少なくとも２つの取付け片の対の各取付け片は、それぞれの橋絡片から接線方向に互いに向き合うように突出している。ころは取付け片により半径方向に保持器内に保持される。なぜならば、接線方向及び周方向にポケット内へ突出する取付け片の最も大きい間隔は、ころの公称直径から公称直径の負の許容偏差（ローラの許容負偏差）を差引いたものより小さいからである。適当な取付け片が半径方向外方又は半径方向内方へ形成されている保持器、及び取付け片が半径方向外方及び内方へ形成されている保持器もある。【０００５】  特に最後にあげた事例では、いずれにせよころを半径方向外側から又は半径方向内側から保持器へスナップばめすることが必要である。その際取付け片が撓んでころをポケットへスナップばめするまで、ころが半径方向にポケットの取付け片へ押付けられる。最も不利な場合、例えば接線方向間隔がこの間隔の下位許容公差で形成され、ころが最大許容直径を持っていると、この力は非常に大きい。互いに対向する取付け片の間の接線方向間隔は、従って取付け機能に合わされるだけでなく、取付け片のスナップ機能にも合わされねばならない。また取付け片の変形又はころの損傷（ころにおける取付け片のこすり痕跡）を回避するため、取付け片ができるだけ弾性的にのみはずむように、注意せねばならない。
【発明の開示】
【発明が解決しようとする課題】
【０００６】  従って本発明の課題は、ローラが当たるための最適な内側形状及びころのスナップばめに最適な取付け片の配置を提供することである。保持器がならいフライス削り（総形フライス削り）により安価に製造可能であるようにする。【０００７】  本発明は、特に鋼、非鉄金属又は軽金属及びそれらの合金から成るすべての保持器に関する。ポケットの完成した内側輪郭は、側縁及び橋絡片から一体に形成される保持器において、ならいフライス削りにより製造される。
【課題を解決するための手段】
【０００８】  この課題は、請求項１の及び別の独立請求項の特徴部分の特徴によって解決される。【０００９】  本発明による保持器において橋絡片の側面をフライス削りするために使用される総形フライスは、総形フライスの回転軸線に沿って見て、橋絡片の側面の凹に形成される輪郭に対して凸な反対形状である断面輪郭を外側に持っている。橋絡片の凹な反対形状は、回転軸線に対して直角に保持器と交差しかつ回転軸線により直角に貫通される保持器の任意の断面において見られる。【００１０】  それぞれのポケットへ向く橋絡片の側面は、従ってポケットにあるそれぞれのころ用のポケットに面する少なくとも１つの平らな当たり面をそれぞれ持っている。ポケットの互いに向き合う当たり面は、なるべく互いに平行に向けられ、従って同時に回転軸線から出てこれと同じに向けられて延びる半径面に対して平行に向けられている。それにより橋絡片に形成されて互いに遠い側にあってそれぞれ他のポケットの方を向く当たり面は、なるべく互いに傾斜している。【００１１】  平らな当たり面は、半径方向に少なくとも取付け片に続いている。取付け片は、少なくとも接線方向に当たり面からポケットの中へ突出するか、又はピッチ円の上又は下でころの方へ突出している。従って各ころはポケット内で平らな当たり面へ当たり、湾曲した当たり面へ当たらない。保持器を持つ転がり軸受の作動中に、潤滑なしにころの周面と当たり面との純粋な線接触が一定にかつ安定に行われる。【００１２】  従ってポケット内のころの円筒状表面の湾曲のため、ころと当たり面との間の最小自由間隔（ポケットの和）が運動遊隙である。ころと当たり面との間の、半径方向内方へ保持器の回転軸線の方へ続きまた半径方向外方へ続くすべての間隔は、最小間隔から離れるに従って増大する。こうしてころとそれぞれの側面との間に生じる空隙は楔状に形成されている。潤滑剤即ち油又はグリースは、接触部へ入る前に楔状に形成され、接線方向にころ周囲と接触する。接触部における潤滑剤の不断の供給は保証されている。接触部からほぼ接線方向に保持器へ作用する力成分によって、摩擦を助長する半径方向力成分が回避される。接触部の摩擦から生じる熱は著しく少ない。潤滑剤は、低い作動温度のため僅かしか負荷されない。【００１３】  当たり面は、橋絡片の半径方向範囲で、保持器のなるべくすべてのころに共通なピッチ円が、それぞれポケットにおいて対向する橋絡片の平面を接触部の所で周方向に貫通するような広さで延びている。ピッチ円は転がり軸受の当業者に周知の概念であり、それぞれの軸受又は保持器の回転軸線の周りに延びる円を規定し、ころが軸受の少なくとも１つの転動路に半径方向に当接する時、公称直径が同じ大きさであるすべてのころの中心軸線と交差する。ころの中心軸線は、回転対称に形成されるころの回転軸線であり、一般に保持器又は軸受の回転軸線に対して平行に延びている。各ころの接線方向当たりは、ポケット内にあるころと橋絡片との間でピッチ円上にある最大接線方向自由間隔がピッチ円の半径方向上及び半径方向下に続くころと橋絡片との間の任意の各接線方向自由間隔により小さいことによって、保証される。【００１４】  当たり面に半径方向に続く取付け片が���ケットの方へ向く斜面を持っていると、接触部へ潤滑剤の供給が更に改善される。ころと斜面との間隔も、運動遊隙により規定されるころと当たり面との間の最小間隔からの間隔の増大と共に増大するのがよい。斜面は当たり面に対して鈍角をなして傾斜している。中心軸線の周りに転がるころにより、取付け片の斜面に潤滑楔が形成され、ころにより当たり面ところとの間へ引込まれる。【００１５】  その代わりに取付け片は、当たり面へ移行する湾曲面を持っている。湾曲面は、移行面として、前述したようにポケットへ向く斜面から突出して当たり面へ移行するか、又は取付け片がポケット側で一般にこのように湾曲して当たり面へ移行する面により描かれている。湾曲面ところとの間隔も、運動遊隙により規定されるころと当たり面との間の最小間隔からの距離の増大と共に増大する。面の湾曲は、回転軸線に沿う保持器の縦部分において、１つの半径によって描かれている。この半径は、それぞれのポケット内のころの公称直径の半分より大きい。【００１６】  本発明の別の実施形態はポケット隅の構成に関する。ポケット隅とは、一般に橋絡片から側縁への直角な移行部を意味する。荷重をかけられる保持器の橋絡片から側縁へ小さい移行半径を持つポケット隅に、保持器の亀裂及び破壊を生じる可能性のあるピーク応力が現れることは公知である。従ってこれらのポケット隅の曲率半径をできるだけ大きくせねばならない。更にならいフライス削りされるポケットの隅に総形フライス用の出口が必要であり、この出口により、隅において軸線方向に案内される総形フライスと縦に案内される総形フライスとの交差が回避される。従って当たり面はなるべく縦に橋絡片の全幅にわたって延びず、縦に回転軸線と同じ向きに、１つのポケット隅から別のポケット隅へ、それぞれ１つの湾曲して延びる隅面の所まで延びている。ポケットは、隅の所で隅面により少なくとも所々で凸に橋絡片の中へ膨出している。隅は、当たり面から内側面へ延びる隅面により描かれ、隅面の輪郭はなるべく少なくとも１つの半径によって規定されている。【００１７】  最初に述べたように、適当な取付け片がａ）半径方向外側又はｂ）半径方向内側に形成されるような保持器があり、取付け片がｃ）半径方向外側にかつ半径方向内側に形成されるような保持器もある。従って本発明の実施形態によれば、
ａ）ポケット内のそれぞれのころが、少なくとも１対の取付け片により、ころの中心軸線の半径方向上で部分的に半径方向に取り囲まれているか（外側取付け片）、
ｂ）ポケット内のそれぞれのころが、少なくとも１対の取付け片により、ころの中心軸線の半径方向下で部分的に半径方向に取り囲まれているか（内側取付け片）、又は
ｃ）平らな当たり面が半径方向に２つの取付け片の間に設けられ、これらの取付け片が少なくとも接線方向に当たり面から突出しているので、ポケットにおいて対向するそれぞれ１対の外側取付け片が、ポケット内のそれぞれのころを、中心軸線の半径方向上で半径方向に部分的に取り囲み、ポケットにおいて対向するそれぞれ１対の内側取付け片が、ころの中心軸線の半径方向下で、ころを半径方向に部分的に取り囲んでいる。【００１８】  本発明の前にあげた特徴は、選択的に別の独立請求項の特徴とも組合わせ可能であり、それによれば、保持器の橋絡片の少なくとも若干が、橋絡片から半径方向に突出する取付け片を持っている。しかし独立請求項は、前にあげた特徴からも免れているとみなされる特徴を含んでいる。しかし本発明による保持器により、摩擦、摩耗及びその結果生じるころと側面との接触部における温度がまとめて減少される。更に保持器は僅かな重量しか持っていない。【００１９】  少なくとも若干ただしなるべくすべての橋絡片が、橋絡片から半径方向に突出する少なくとも１つの取付け片を持っていることによって、保持器の重量が著しく減少される。更に後述する配置では、保持器における改善された油流通のため、大きい寸法の間隙断面が実現される。【００２０】  本発明の実施形態により、取付け片が半径方向に側縁及び第２の側縁から突出していると、側縁の半径方向全高従ってその可動重量は一層小さい。保持器側縁と転がり軸受のレースの曲げ縁又は転動路との間の半径方向間隙寸法は、一層大きい。この場合取付け片が側縁から半径方向に突出している側縁における周面は、回転軸線からなるべく同じ間隔だけ離れている。それにより増大される保持器の側縁と転動路との間の間隙は、ころの公称直径の少なくとも０．６倍〜０．９倍であるのがよく、それにより取付け片の半径方向間隔はころの０．６倍〜０．９倍より小さい。【００２１】  １つ又は複数の取付け片が半径方向に保持器の側縁と同じ高さで終わっていると、取付け片は、最大で半径方向に、少なくとも１つの側縁なるべくすべての側縁が半径方向に取付け片と同じ向きに橋絡片から最大に突出するのと同じ寸法だけ、橋絡片から突出している。この場合転動路と橋絡片との間に大きい半径方向間隙が形成される。前にあげた両方の場合、保持器から周囲への半径方向に増大される間隙断面は、軸受における潤滑剤循環を改善する。【００２２】  半径方向に突出する取付け片は、側面を加工する総形フライスによって形成できるが、そうしなくてもよい。【００２３】  保持器が、各橋絡片に、ポケット隅からポケット隅へ延びる取付け片の代わりに、橋絡片毎に少なくとも２つの取付け片を持っていると、保持器における潤滑剤の流通が更に改善される。共通な橋絡片にある取付け片は、保持器の器の軸線方向従って回転軸線の長さ方向に、互いに離れている。取付け片の間で、更に潤滑剤を、保持器の接触部及び転動路のころ接触部へ供給するか、ここから排出することができる。更に２つの狭い取付け片を越えてころをスナップばめするのを妨げる抵抗は、隅から隅へ延びる取付け片におけるより小さい。スナップばめによるころの擦りむき痕跡の形成が回避されるか、又は万一の擦りむき痕跡はころの主負荷区域から遠ざけられる。【００２４】  本発明による保持器は、円筒状ころの受入れにもたる状ころの受入れにも適している。従って本発明の実施形態によれば、ころの所で互いに対向する２つの取付け片の間の接線方向に最も狭い個所における接線方向間隔の最大値は、この最も狭い個所におけるころの直径の最小寸法より少なくとも小さい。円筒状ころの場合、ころの直径は、最も狭い個所においてころの公称直径と同じであるが、たる状ころの場合、ころの端面の方へ減少する直径のため、最も狭い個所において、ころの直径は公称直径より小さい。直径という表現は、普通に許容されるころの直径公差も含んでいる。【００２５】  従って接線方向間隔は、互いに対向する取付け片の弾性変形によって、最も狭い個所において、ころにより少なくともころの直径の最大寸法の大きさまで、弾性的に拡大可能である。接線方向間隔は、最も狭い個所におけるころの直径の最小寸法より、なるべく少なくとも１／１００ｍｍだけ小さい。【００２６】  本発明は、ｉ）外側曲げ縁で案内される、ｉｉ）内側曲げ縁で案内される、ｉｉｉ）ころで案内される、すべての一体に形成される保持器に対して適用される。軸受のレースの間で回転する保持器は、選択的に
ｉ）軸受の外レースの外側曲げ縁又は外側転動路で案内される。この配置に対してあてはまることは、側縁のそれぞれ円筒状外周面とそれぞれ半径外側にある案内曲げ縁との間の最大半径方向環状間隙が、ポケット内のころが１対の内側取付け片と１対の外側取付け片との間で半径方向に運動可能な半径方向運動遊隙（ころたるみ）より小さいことである。同時に側縁の円筒状内周面とそれぞれ半径方向内側にある内側曲げ縁又は内側転動路との間の半径方向環状間隙は、側縁の円筒状外周面と案内曲げ縁との間の間隙より大きい。従って保持器は、例えば作動中に遠心力のため、半径方向外方へ案内曲げ縁へ押付けられ、そこで滑り、外側にある案内曲げ縁によりこれに沿って周方向に案内され、保持器が内側取付け片によりころの所で引き止められることはなく、保持器が側縁の内周面でそれぞれの内側曲げ縁に接触することはない。
ｉｉ）軸受の内レースの内側曲げ縁又は内側転動路で案内される、この配置に対して当てはまることは、側縁の円筒状内周面とそれぞれ半径方向内側にある案内曲げ縁との最大半径方向環状間隙が、ポケット内のころが１対の内側取付け片と１対の外側取付け片との間で半径方向に運動可能な半径方向運動遊隙（ころたるみ）より小さいことである。同時に側縁の円筒状外周面とそれぞれ半径方向外側にある外側曲げ縁又は外側転動路との間の半径方向環状間隙は、側縁の円筒状内周面と案内曲げ縁との間の間隙より大きい。従って保持器は、例えば作動中に遠心力のため、半径方向に内側曲げ縁へ押付けられ、そこで滑り、案内曲げ縁によりこれに沿って周方向に案内され、保持器が外側取付け片によりころの所で引き止められることはなく、保持器が側縁の外周面でそれぞれの外側曲げ縁に接触することはない。
ｉｉｉ）ころによって案内される。この配置に対して当てはまることは、側縁の円筒状内周面とそれぞれ半径方向内側にある曲げ縁又は転動路との間のそれぞれ最大の半径方向環状間隙、及び側縁の円筒状外周面と半径方向外側にある曲げ縁又は転動路との間の最大半径方向環状間隙が、ポケット内のころが１対の内側取付け片と１対の外側取付け片との間で半径方向に運動可能な半径方向運動遊隙（ころたるみ）より大きいことである。従って保持器は、例えば作動中に遠心力のため、半径方向外方へ動かされ、内側取付け片によりころの所に保持され、内側曲げ縁又は外側曲げ縁と接触することはない。【００２７】  それにより次のことが生じる。
取付け片が保持器の半径方向外方へ橋絡片から半径方向に突出する。これは特にｉｉ）に当てはまるが、選択的にｉｉｉ）にも当てはまる。
取付け片が保持器の半径方向内方へ橋絡片から半径方向に突出する。これは特にｉ）に対して当てはまるが、ｉｉｉ）にも当てはまる。【００２８】  取付け片を形成するためのそれ以外の実施形態は、以下に詳細に説明されている。
【発明を実施するための最良の形態】
【００２９】  図１は、ころ５、第１の側縁６、第２の側縁６、橋絡片７、及び周方向に互いに隣接するころ５用のポケット８を持つ転がり軸受用の保持器１の実施例を簡単化して示している。保持器１は、橋絡片７及び側縁６を一体に形成されている。橋絡片７は、第１の側縁６と第２の側縁６との間で、保持器の回転軸線１ａに沿って向けられている。【００３０】  図２は、例として、回転軸線に沿うポケット９の縦断面を、この場合図示しない内レースの内側曲げ縁に案内される保持器２について示している。図２ａはポケット９の平面図を示している。図２ｂは、ローラ５と共に回転軸線に対して直角な横断面図を示し、図２ｃは図２ｂによる横断面図を拡大して示している。【００３１】  図３は、例として、保持器の回転軸線に沿うポケット１０の縦断面図を、この場合図示しない外レースの外側曲げ縁にころ５を介して案内される保持器３について示している。図３ａは、回転軸線に対して直角なポケットの横断面図を、外側曲げ縁に案内される保持器３について示し、図４は、回転軸線に対して直角なポケット１１の横断面図を、ころを介して案内される保持器４について示し、両方の図は拡大されている。【００３２】  図５は、別のポケット１２に沿う簡単化した断面図を示し、取付け片１４が半径方向に回転軸線の方へ橋絡片及び側縁から突出している。図５ａには、ポケット１２が回転軸線に対して直角に延びる断面で示されている。【００３３】  図６は、別のポケット３に沿う簡単化した断面図であり、取付け片１４は半径方向に回転軸線の方へ橋絡片７から突出し、側縁６に同じ半径方向高さで終わっている。図６ａには、ポケット１３が回転軸線に対して直角に延びる断面で示されている。【００３４】  図７は、ころ５と橋絡片の側面１６との接触部を概略的に著しく拡大して示している。【００３５】  図８において、一体に形成される保持器の種々の構成について、転がり軸受１７，１８，１９の作動の際における温度測定の測定結果が対比されている。【００３６】  ポケットは、周方向に、橋絡片７にあって互いに対向する側面１６により、また回転軸線に沿って互いに対向する側縁６の２つの内側面２０により、区画されている。ポケット８，９，１０，１１の１つにおいて互いに対向する側面１６の最大接線方向自由間隔Ｕは、ポケット８，９，１０，１１内のそれぞれのころ５の最大直径Ｄより大きい。橋絡片７に、ころ用の取付け片１４，１５が形成されている。ポケット８，９，１０，１１において対向する２つの取付け片１４，１５の間の最大接線方向自由間隔Ｔ１及びＴ２は、ポケット８，９，１０，１１内のそれぞれのころ５の最大公称直径ＤＮより小さい。【００３７】  側面１６はならいフライス削りされた完成輪郭を持ち、この輪郭は、図６ａに破線で示す総形フライス２１の凸な外側切削輪郭の凹な写しである。側面１６は、ポケット８，９，１０，１１内のそれぞれのころ５のために、ポケット８，９，１０，１１に面する少なくとも１つの平らな当たり面２２を持ち、当たり面２２は、半径方向内側取付け片１４，１５と半径方向外側取付け片１４，１５との間に形成されている。取付け片１４，１５は接線方向にそれぞれの当たり面から突出している。【００３８】  ポケット８，９，１０内のそれぞれのころ５は、取付け片１４又は１５によりころ５の中心軸線５ａの半径方向上で、また取付け片１４又は１５によりころ５の中心軸線５ａの半径方向下で取り囲まれている。従ってポケット８，９，１０，１１の所で互いに隣接する橋絡片７にあってポケット８，９，１０，１１の所で互いに対向するそれぞれ１対の取付け片１４又は１５が、ポケット８，９，１０，１１内のそれぞれのころ５を中心軸線５ａの半径方向上で半径方向に部分的に取り囲み、またポケット８，９，１０，１１の所で互いに対向する別の１対の取付け片１４又は１５が、ころ５を中心軸線５ａの半径方向下で半径方向に部分的に取り囲む。【００３９】  当たり面２２は、回転軸線に沿って同じ向きに、１つのポケット隅２３から別のポケット隅２３へ延びている（図２ａ）。橋絡片７は隅２３の所で側縁６へ移行している。当たり面２２は、隅２３の所で湾曲して延びる隅面２３ａへそれぞれ移行している。ポケット８，９，１０，１１は、隅２３の所で隅面２３ａにより少なくとも所々で橋絡片７へ凸に膨出している。その際膨出は、半径ｒ１及びｒ２と平面２５とによって描かれ、隅面２３ａの湾曲した部分はこの平面２５に終わっている。半径ｒ１及びｒ２は、ポケット内のそれぞれのころ５の公称直径の０．０５倍〜０．２倍に等しい。【００４０】  図７は、周方向に接触部２７でころ５が当たっているのを示している。接触部２７ところ５との間に形成される最大自由間隔Ｔｓは、ピッチ円の半径方向上及び半径方向下に続くころ５と橋絡片７との間の別の任意の接線方向自由間隔Ｔｓ１〜Ｔｓｘより小さい。その際考慮すべきことは、自由間隔Ｔｓ（ポケット遊隙）を描くための図７において、同じポケットの図示しない他方の橋絡片に対向接触部でころが接触していることである。【００４１】  取付け片１４，１５はポケットの中へ向くそれぞれ１つの斜面２８又は２９を持ち、各斜面２８，２９は当たり面２２に対して鈍角をなして傾斜している。取付け片１４は、僅かな半径であることを条件として、ポケット側で斜面２９において当たり面２２へ移行している。取付け片１５では、斜面２９に湾曲面３０が続いている。斜面２８及び湾曲面３０は、ポケット８，９，１０，１１に沿って回転軸線と同じ向きに延びている。湾曲面３０はポケット８，９，１０，１１から凹に湾曲している。湾曲は、ころ５の公称直径ＤＮより大きい半径ＲＫにより描かれている。潤滑剤即ち油又はグリースは、接触部２７へ入る前に楔状に形成され、ころ周囲に対して接線方向に接触部２７へ達する（図７）。接触部２７への潤滑剤の不変な供給が保証されている。この場合中心軸線５ａの周りに矢印方向に転がるころ５によって、取付け片１４，１５の斜面２８，２９において潤滑楔４１が形成され、ころ５により当たり面ところとの間へ引込まれる。【００４２】  内側曲げ縁で案内される図２〜図２ｃによる保持器２は、橋絡片７毎に、橋絡片７及び側縁６から半径方向に突出する２つの第１の取付け片１４（この場合外側取付け片）と、接線方向にポケット内へ接線方向に突出する１つの第２の取付け片１５（この場合内側取付け片）とを持っている。共通な橋絡片７にあるこれらの取付け片��４は、軸線方向従って回転軸線の長さ方向に互いに離れており、ポケット中心Ｍから同じ寸法だけ離れている。両方の取付け片１４は回転軸線から同じ寸法だけ離れている。【００４３】  取付け片１５は隅面２３ａの間で縦に延びている。側縁６において半径方向外方へ向く周面３１と、橋絡片７を半径方向に区画する半径方向上縁又は周面３２は、回転軸線から同じ寸法だけ離れている。【００４４】  図２ｂからわかるように、ポケット９毎にそれぞれ１つのころ５が、取付け片１４により半径方向外方に対して、また取付け片１５により半径方向内方に対して、ポケット９内に保持されている。その際ころ５は、所定のたるみｄＨ以内で、ポケット９内を半径方向に自由に運動可能である。取付け片１４は、ポケット９の方へ向く端面３３と、半径方向内方へ端面３３に続く斜面２８とにより描かれている（図２ｃ）。斜面２８は、保持器の縦面に対して平行に延びる面Ｅに対して角αだけ傾斜している。【００４５】  取付け片１５は端面３３を持ち、この端面に半径方向外方へ斜面２９が続いている。斜面２９は、保持器２の回転軸線に対して平行に延びる面に対して角βだけ傾斜している。湾曲して半径ＲＫにより描かれる面３０において、斜面２９が、ころ５の円筒状外周面５ｂに対して接線方向に見て、当たり面２２へ移行している。ポケット９の取付け片１４の端面３３が互いに対向している接線方向に最も狭い個所は、スナップばめ寸法Ｓである。従って保持器２は、半径方向外側からころ５で満たされる。取付け片１５の間の最も狭い間隔Ａはスナップばめ寸法Ｓより小さい。【００４６】  図３〜図３ａによる外側曲げ縁で案内される保持器３は、橋絡片７毎に、半径方向外方へ橋絡片７及び側縁６から突出する２つの取付け片１４と、接線方向にポケット内へ突出する取付け片１５を持っている。共通な橋絡片７にある取付け片１４は、軸線方向に従って回転軸線の長さ方向に互いに離れており、ポケット中心Ｍから同じ寸法だけ離れている。取付け片１４の軸線方向間隔Ａは、最も狭い個所で、ポケット内のそれぞれのころの軸線方向に同じ向きの長さの少なくとも２／５〜１／４に等しい。取付け片１５は隅面２３ａの間に縦に延びている。側縁において半径方向外方へ向く周面３１と、橋絡片７を半径方向に区画する半径方向上縁又は周面３２は、回転軸線から同じ寸法だけ離れている。【００４７】  半径方向内側にある取付け片１４は、ポケット１０の方へ向く端面３３と端面３３に半径方向内方へ続く斜面２８とにより描かれている（図３ａ）。斜面２８は、保持器５の縦面に対して平行に延びる面に対して角αだけ傾斜している。【００４８】  取付け片１５は端面３３を持ち、この端面に半径方向内方へ斜面２９が続いている。斜面２９は、保持器５の縦軸線に対して平行に延びる面Ｅに対して角βだけ傾斜している。半径ＲＫによって描かれる湾曲面３０において、斜面２９が、ころ５の円筒状外周面５ｂに対して接線方向に、当たり面２２へ移行している。半径ＲＫはころ５の公称直径ＤＮの半分より大きい。ポケットの取付け片１４が互いに対向している接線方向に最も狭い打所は、スナップばめ寸法Ｓである。スナップばめ寸法Ｓは、取付け片１４の間の最も狭い個所において、ローラ５の直径の最小寸法より少なくとも１／１０００ｍｍだけ小さい。従って保持器２は、半径方向内側からころで満たされる。取付け片１５の間の最も狭い間隔Ａは、スナップばめ寸法Ｓより小さく、ポケット１０内のころ５の公称直径ＤＮの０．９２倍〜０．９６倍である。【００４９】  図４による保持器４では、橋絡片毎に２つの取付け片１５は端面３３を持ち、半径Ｒｘはにより描かれる湾曲面３５が端面に続いている。湾曲面３５は当たり面２２に移行している。【００５０】  保持器１，２，３の橋絡片７にあるそれぞれの取付け片１４，１５のうち、少なくともポケット８，９，１０，１１において互いに対向する側面１６が、ならいフライス削りされた輪郭を持っている。【００５１】  図５及び図５ａには、取付け片１４が側縁６及び橋絡片７から半径方向内方へどのように突出しているかが示されている。側縁６及び橋絡片７の半径方向内方へ向く周面３１，３２は、半径方向に同じ高さで終わっている。橋絡片７において互いに離れて２つの隣接するポケットのうち他方へ向く取付け片１４は、周方向において互いに隣接するポケット１２の間に延びる共通なひれ３６に形成されている。【００５２】  図６及び図６ａには保持器のポケット１３を示し、第１の取付け片１４（この場合内側取付け片）は、側縁６の少なくとも１つが半径方向に第１の取付け片１４と同じ向きに橋絡片７から最大に突出するのと同じ寸法だけ、橋絡片７から最大に突出している。従って取付け片１４は、この保持器において半径方向内方へ橋絡片７から突出しているが、側縁６からは突出していない。当たり面２２は、第２の取付け片１５（この場合外側取付け片）の所で湾曲面３４へ移行している。【００５３】  図５及び６による側縁６は、半径方向に橋絡片７から突出する側縁６の部分に、それぞれ内側及び外側に面取り部３７を持っている。これらの面取り部３７は、ピーク応力の減少及び保持器の重量の減少に役立つ。【００５４】  図７からわかるように、取付け片１４は半径方向内方へ橋絡片７及び側縁６から突出し、第１の取付け片１４が突出する側縁６の半径方向外側と、側縁６に半径方向に続くころ５の転動路３８の表面との最小半径方向間隔２４は、ころ５の公称直径ＤＮの少なくとも０．６倍〜０．９倍に等しい。従って第１の取付け片１４のこの半径方向間隔は、ころ５の公称直径ＤＮの６．６倍〜０．９倍より小さい。【００５５】  本発明は、異なる寸法従って異なる負荷能力、ただし同じ公称直径ＤＮのころ１５を持つ軸受の保持器１，２，３，４にあるポケット８，９，１０，１１のならいフライス削りのために、同じ総形フライスを使用するのを可能にする。なぜならば、ポケット８，９，１０，１１の横断面は同じであり、縦断面がころ５の公称長さに関係しているだけだからである。【００５６】  図８は、社内実験で負荷試験ＷＳ１８から一体の黄銅製中実保持器ＮＵ／ＮＵＰ２１４を持つ転がり軸受１７，１８，１９の測定値が対比されている線図を示している。実験条件は、４８００ｒ．ｐ．ｍ．の回転数で１２ｋＮの半径方向荷重、０．３  ｌ／ｍｉｎの容積流量で油流通、２４時間にわたって１４００ｒ．ｐ．ｍ．の回転数で先行するなじみ運転であった。【００５７】  測定結���は、それぞれの軸受１７，１８，１９の外レースにおける超過温度Ｔであった。次の保持器が試験された。
湾曲した当たり面を持つ従来技術の保持器１７を持つ軸受。
本発明による保持器１８を持つ軸受で、ころが橋絡片の側面の平らな当たり面に当たるけれども、まだすべての取付け片が橋絡片から半径方向には突出してはいない。
本発明による保持器を持つ軸受１９で、ころが橋絡片の側面の平らな当たり面に当たり、橋絡片にあるそれぞれ１対の取付け片が橋絡片及び側縁から半径方向に突出している。【００５８】  線図からわかるように、軸受１７の温度の総計的平均値３９及び最高値４０は、軸受１８及び１９の値より上にある。軸受１８は、従来技術による軸受１７に対して、統計的平均値３９及び最高値４０に関して改善された温度特性を持っている。軸受１９における温度は有利に著しく低い。
【図面の簡単な説明】
【００５９】
【図１】  ころを持つ転がり軸受の保持器の実施例を示す。
【図２】  回転軸線に沿う保持器のポケットの縦断面図を示す。
【図２ａ】  ポケットの平面図を示す。
【図２ｂ】  ポケットの横断面図を示す。
【図２ｃ】  図２ｂによる横断面図を拡大して示す。
【図３】  保持器のポケットの別の実施例の断面図を示す。
【図３ａ】  外側曲げ縁に案内される保持器のポケットの横断面図を示す。
【図４】  ころを介して案内される保持器のポケットの横断面図を示す。
【図５】  別のポケットの縦断面図を示す。
【図５ａ】  図５によるポケットを横断面図を示す。
【図６】  別のポケットの縦断面図を示す。
【図６ａ】  図６によるポケットの横断面図を示す。
【図７】  ころと橋絡片の側面との接触部を拡大して示す。
【図８】  従来技術による転がり軸受と本発明による転がり軸受の測定値を示す。
【符号の説明】
【００６０】１          保持器
１ａ        回転軸線
２〜４      保持器
５          ころ
５ａ        中心軸線
５ｂ        外周面
８〜１３    ポケット
１４，１５  取付け片
１６        側面
１７〜１９  転がり軸受
２０        内側面
２１        総形フライス
２２        当たり面
２３        ポケット隅
２３ａ      隅面
２４        間隔
２５        平面
２６        ピッチ円
２７        接触部
２８，２９  斜面
３０        面
３１，３２  周面
３３        端面
３４，３５  面
３６        ひれ
３７        面取り部
３８        転動路
３９        平均値
４０        最高値
４１        潤滑楔
【図１】
2008501097.tif 000003
【図２】
2008501097.tif 000004
【図２ａ】
2008501097.tif 000005
【図２ｂ】
2008501097.tif 000006
【図２ｃ】
2008501097.tif 000007
【図３】
2008501097.tif 000008
【図３ａ】
2008501097.tif 000009
【図４】
2008501097.tif 000010
【図５】
2008501097.tif 000011
【図５ａ】
2008501097.tif 000012
【図６】
2008501097.tif 000013
【図６ａ】
2008501097.tif 000014
【図７】
2008501097.tif 000015
【図８】
2008501097.tif 000016
【国際調査報告】
2008501097.tif 000017
2008501097.tif 000018
2008501097.tif 000019
2008501097.tif 000020
2008501097.tif 000021
2008501097.tif 000022